(57)【要約】【課題】異常曲げが発生している異常箇所を迅速に特定する測定装置、測定方法、プログラムを提供する。【解決手段】光ファイバ芯線の入射端から入射された光に含まれる複数の波長のそれぞれについて、前記入射端からの距離が異なる複数の位置からの後方散乱光の光パワーを、前記入射端で測定する光パワー測定部と、前記光パワー測定部が測定した前記複数の波長のそれぞれについての前記光パワーと、前記複数の波長とを用いて、前記光ファイバ芯線の波長対損失特性を算出する特性算出部と、前記波長対損失特性の傾きと、前記複数の波長に応じて定められる損失基準値とを比較することで、予め定められた光損失より大きい光損失が発生している異常箇所を特定する異常箇所特定部とを備える。【選択図】図６
2011047914.tif 000002
【特許請求の範囲】
【請求項１】
光ファイバ芯線の入射端から入射された光に含まれる複数の波長のそれぞれについて、前記入射端からの距離が異なる複数の位置からの後方散乱光の光パワーを、前記入射端で測定する光パワー測定部と、
前記光パワー測定部が測定した前記複数の波長のそれぞれについての前記光パワーと、前記複数の波長とを用いて、前記光ファイバ芯線の波長対損失特性を算出する特性算出部と、
前記波長対損失特性の傾きと、前記複数の波長に応じて定められる損失基準値とを比較することで、予め定められた光損失より大きい光損失が発生している異常箇所を特定する異常箇所特定部と、
を備える測定装置。
【請求項２】
前記光パワー測定部が測定した前記光パワーに基づいて、前記光パワーが単位距離当りで所定値以上減少する変化箇所を検出する変化箇所検出部と、
前記複数の波長のそれぞれについて、前記変化箇所における前記光パワーの変化量を算出する変化量算出部と
をさらに備え、
前記特性算出部は、前記複数の波長と、前記複数の波長のそれぞれにおける前記変化量とを用いて前記変化箇所の前記波長対損失特性を算出する、
請求項１に記載の測定装置。
【請求項３】
前記複数の位置における波長対損失特性の傾きが、単位距離当りで所定値以上値が変化する変化箇所を検出する変化箇所検出部と、
前記変化箇所における前記波長対損失特性の傾きの変化量を算出する変化量算出部と
を更に備え、
前記異常箇所特定部は、前記変化量と前記損失基準値と比較することで、異常箇所を特定する、
請求項１に記載の測定装置。
【請求項４】
前記特性算出部は、３以上の波長と前記３以上の波長のそれぞれについての前記光パワーとに基づいて、最小二乗法を用いて、前記波長対損失特性を算出する、
請求項３に記載の測定装置。
【請求項５】
前記異常箇所特定部は、前記複数の波長および前記光ファイバ芯線の種類に応じて定められる前記損失基準値を用いて、前記異常箇所を特定する、
請求項１から４のいずれかに記載の測定装置。
【請求項６】
前記複数の波長にそれぞれ対応する屈折率と、前記入射端から入射した光が後方散乱光として前記入射端に戻ってくる時間と基づいて、前記複数の波長のそれぞれについての前記後方散乱光が、どの距離からの後方散乱光であるかを算出する距離算出部をさらに備える、
請求項１から５のいずれかに記載の測定装置。
【請求項７】
前記入射端から入射した光が後方散乱光として前記入射端に戻ってくる時間に基づいて、前記複数の波長のそれぞれについての後方散乱光が、どの距離からの後方散乱光であるかを算出する距離算出部と、
前記複数の波長の少なくとも１つの波長の波長分散値または群遅延を用いて、前記複数の波長の少なくとも一つの波長の前記後方散乱光の前記距離を補正する距離補正部と、
をさらに備える
請求項１から５のいずれかに記載の測定装置。
【請求項８】
前記異常箇所における前記波長対損失特性の傾きに基づいて、複数の光ファイバ芯線の光接続部を収容する複数の収容部のうち、いずれの収容部における異常から修繕するかを決定する修繕順序決定部を更に備え、
前記光パワー測定部は、前記複数の光ファイバ芯線のうち、２以上の光ファイバ芯線について、前記２以上の光ファイバ芯線のそれぞれの入射端から入射された光に含まれる複数の波長のそれぞれについて、前記それぞれの入射端からの距離が異なる複数の位置からの後方散乱光の光パワーを、前記それぞれの入射端で測定し、
前記特性算出部は、前記２以上の光ファイバ芯線のそれぞれについて、前記波長対損失特性を算出し、
前記異常箇所特定部は、前記２以上の光ファイバ芯線のそれぞれについて、前記異常箇所を特定する、
請求項１から７のいずれかに記載の測定装置。
【請求項９】
前記修繕順序決定部は、
前記複数の収容部のそれぞれが収容する光ファイバ芯線の重要度、冗長度、伝送容量、種類、および、それぞれの収容部における使用されている光ファイバ芯線の数、ならびに、前記複数の収容部のそれぞれに含まれる前記異常箇所における前記波長対損失特性の傾きの値からなる群から選ばれる少なくとも１つによって重み付けされた前記異常箇所における前記波長対損失特性の傾きに基づいて、前記複数の収容部のうち、いずれの収容部における異常から修繕するかを決定する、
請求項８に記載の測定装置。
【請求項１０】
前記修繕順序決定部は、
前記複数の収容部のそれぞれについて、前記２以上の光ファイバ芯線の前記異常箇所における前記波長対損失特性の傾きの和を算出し、
前記波長対損失特性の傾きの和が大きい順に修繕することを決定する、
請求項８または９に記載の測定装置。
【請求項１１】
前記２以上の光ファイバ芯線は、それぞれ、異なる多心光ファイバケーブルを構成する、
請求項８から１０のいずれかに記載の測定装置。
【請求項１２】
光ファイバ芯線の入射端から入射された光に含まれる複数の波長のそれぞれについて、前記入射端からの距離が異なる複数の位置からの後方散乱光の光パワーを、前記入射端で測定する光パワー測定段階と、
前記光パワー測定段階が測定した前記複数の波長のそれぞれについての前記光パワーと、前記複数の波長とを用いて、前記光ファイバ芯線の波長対損失特性を算出する特性算出段階と、
前記波長対損失特性の傾きと、前記複数の波長に応じて定められる損失基準値とを比較することで、予め定められた光損失より大きい光損失が発生している異常箇所を特定する異常箇所特定段階と、
を備える測定方法。
【請求項１３】
前記異常箇所における前記波長対損失特性の傾きに基づいて、複数の光ファイバ芯線の光接続部を収容する複数の収容部のうち、いずれの収容部における異常から修繕するかを決定する修繕順序決定段階を更に備え、
前記光パワー測定段階は、前記複数の光ファイバ芯線のうち、２以上の光ファイバ芯線について、前記２以上の光ファイバ芯線のそれぞれの入射端から入射された光に含まれる複数の波長のそれぞれについて、前記それぞれの入射端からの距離が異なる複数の位置からの後方散乱光の光パワーを、前記それぞれの入射端で測定する段階を有し、
前記特性算出段階は、前記２以上の光ファイバ芯線のそれぞれについて、前記波長対損失特性を算出する段階を有し、
前記異常箇所特定段階は、前記２以上の光ファイバ芯線のそれぞれについて、前記異常箇所を特定する段階を有する、
請求項１２に記載の測定方法。
【請求項１４】
コンピュータを、
光ファイバ芯線の入射端から入射された光に含まれる複数の波長のそれぞれについて、前記入射端で測定された前記入射端からの距離が異なる複数の位置からの後方散乱光の光パワーを取得する光パワー取得部、
前記光パワー取得部が測定した前記複数の波長のそれぞれについての前記光パワーと、前記複数の波長とを用いて、前記光ファイバ芯線の波長対損失特性を算出する特性算出部、
前記波長対損失特性の傾きと、前記複数の波長に応じて定められる損失基準値とを比較することで、予め定められた光損失より大きい光損失が発生している異常箇所を特定する異常箇所特定部、
として機能させるプログラム。
【請求項１５】
コンピュータを、
前記異常箇所における前記波長対損失特性の傾きに基づいて、複数の光ファイバ芯線の光接続部を収容する複数の収容部のうち、いずれの収容部における異常から修繕するかを決定する修繕順序決定部として更に機能させ、
前記光パワー取得部を、前記複数の光ファイバ芯線のうち、２以上の光ファイバ芯線について、前記２以上の光ファイバ芯線のそれぞれの入射端から入射された光に含まれる複数の波長のそれぞれについて、前記２以上の光ファイバ芯線のそれぞれの入射端で測定された、前記それぞれの入射端からの距離が異なる複数の位置からの後方散乱光の光パワーを取得するよう機能させ、
前記特性算出部を、前記２以上の光ファイバ芯線のそれぞれについて、前記波長対損失特性を算出するよう機能させ、
前記異常箇所特定部を、前記２以上の光ファイバ芯線のそれぞれについて、前記異常箇所を特定するよう機能させる、
請求項１４に記載のプログラム。
【請求項１６】
光ファイバ芯線の入射端から入射された光の後方散乱光の光パワーを、前記入射端からの距離が異なる複数の位置毎に前記入射端で測定する光パワー測定部と、光パワー測定部と、
前記光パワー測定部が所定期間以上の間に前記複数の位置毎に繰り返し測定した前記光パワーの変動量が所定値以上である箇所に異常曲げが発生していると判断する異常曲げ判断部と、
を備える測定装置。
【発明の詳細な説明】
【技術分野】
【０００１】
本発明は、曲げによる光損失が発生している光ファイバ芯線、さらには光ファイバ芯線の損失発生箇所を特定する測定装置、測定方法、およびプログラムに関する。
【背景技術】
【０００２】
従来、光時間領域反射測定器（ＯＴＤＲ）を用いて光ファイバ芯線の光損失を測定して修繕の要否を判断することが知られている。また、光ファイバ芯線に異なる波長の光を入射して、出射部における波長ごとの光損失の差から光ファイバ芯線の屈曲度を算出することで、ＯＴＤＲを用いることなく光ファイバ芯線の劣化状態を検出することが知られている。
【先行技術文献】
【特許文献】
【０００３】
【特許文献１】特開２００５−３３７７６６号公報
【発明の概要】
【発明が解決しようとする課題】
【０００４】
一般的なＯＴＤＲを用いることで、屈曲度が高く、そのため光損失が大きい光ファイバ芯線を特定することができても、光ファイバ芯線のどの部分にその強い曲げが生じているのかを特定できない。また、光ファイバ芯線の接続損失が大きい接続部分を特定することができても、その接続損失が、敷設時の融着接続不良によるものなのか、クリーピング等により事後的に発生した異常曲げによる光損失なのかを特定できない。
【課題を解決するための手段】
【０００５】
上記課題を解決するために、本発明の第１の態様においては、測定装置であって、光ファイバ芯線の入射端から入射された光に含まれる複数の波長のそれぞれについて、入射端からの距離が異なる複数の位置からの後方散乱光の光パワーを、入射端で測定する光パワー測定部と、光パワー測定部が測定した複数の波長のそれぞれについての光パワーと、複数の波長とを用いて、光ファイバ芯線の波長対損失特性を算出する特性算出部と、波長対損失特性の傾きと損失基準値とを比較することで、予め定められた光損失より大きい光損失が発生している異常箇所を特定する異常箇所特定部とを備える。
【０００６】
光パワー測定部が測定した光パワーに基づいて、光パワーが単位距離当りで所定値以上値が減少する変化箇所を検出する変化箇所検出部と、複数の波長のそれぞれについて、変化箇所における光パワーの変化量を算出する変化量算出部とをさらに備えてよく、特性算出部は、複数の波長と複数の波長のそれぞれにおける変化量とを用いて変化箇所の波長対損失特性を算出してよい。
【０００７】
複数の位置における波長対損失特性の傾きが、単位距離当りで所定値以上値が変化する変化箇所を検出する変化箇所検出部と、変化箇所における波長対損失特性の傾きの変化量を算出する変化量算出部とを更に備えてよく、異常箇所特定部は、変化量と損失基準値と比較することで、異常箇所を特定してよい。
【０００８】
特性算出部は、３以上の波長と３以上の波長のそれぞれについての光パワーとに基づいて、最小二乗法を用いて、波長対損失特性を求めてよい。
【０００９】
異常箇所特定部は、複数の波長および光ファイバ芯線の種類に応じて定められる損失基準値を用いて、異常箇所を特定してよい。
【００１０】
複数の波長にそれぞれ対応する屈折率と、入射端から入射した光が後方散乱光として入射端に戻ってくる時間と基づいて、複数の波長のそれぞれについての後方散乱光が、どの距離からの後方散乱光であるかを算出する距離算出部をさらに備えてよい。
【００１１】
入射端から入射した光が後方散乱光として入射端に戻ってくる時間に基づいて、複数の波長のそれぞれについての後方散乱光が、どの距離からの後方散乱光であるかを算出する距離算出部と、複数の波長の少なくとも１つの波長の波長分散値または群遅延を用いて、複数の波長の少なくとも１つの波長の後方散乱光が発生した位置までの距離を補正する距離補正部とをさらに備えてよい。
【００１２】
異常箇所における波長対損失特性の傾きに基づいて、複数の光ファイバ芯線の光接続部を収容する複数の収容部のうち、いずれの収容部における異常から修繕するかを決定する修繕順序決定部を更に備えてよく、光パワー測定部は、複数の光ファイバ芯線のうち、２以上の光ファイバ芯線について、２以上の光ファイバ芯線のそれぞれの入射端から入射された光に含まれる複数の波長のそれぞれについて、それぞれの入射端からの距離が異なる複数の位置からの後方散乱光の光パワーを、それぞれの入射端で測定し、特性算出部は、２以上の光ファイバ芯線のそれぞれについて、波長対損失特性を算出し、異常箇所特定部は、２以上の光ファイバ芯線のそれぞれについて、異常箇所を特定してよい。
【００１３】
修繕順序決定部は、複数の収容部のそれぞれが収容する光ファイバ芯線の重要度、冗長度、伝送容量、種類、および、それぞれの収容部における使用されている光ファイバ芯線の数、ならびに、複数の収容部のそれぞれに含まれる異常箇所における波長対損失特性の傾きからなる群から選ばれる少なくとも１つによって重み付けされた異常箇所における波長対損失特性の傾きに基づいて、複数の収容部のうち、いずれの収容部における異常から修繕するかを決定してよい。
【００１４】
修繕順序決定部は、複数の収容部のそれぞれについて、２以上の光ファイバ芯線の異常箇所における波長対損失特性の傾きの和を算出し、波長対損失特性の傾きの和が大きい順に修繕することを決定してよい。２以上の光ファイバ芯線は、それぞれ、異なる多心光ファイバケーブルを構成してよい。
【００１５】
上記課題を解決するために、本発明の第２の態様においては、測定装置であって、光ファイバ芯線の少なくとも一部を通過する光の光パワーを測定する光パワー測定部と、光パワー測定部が所定期間以上の間に繰り返し測定した光パワーの変動量が所定値以上である場合に、光ファイバ芯線に異常曲げが発生していると判断する異常曲げ判断部とを備える。
【００１６】
光パワー測定部は、光ファイバ芯線の入射端から入射された光の後方散乱光の光パワーを、入射端からの距離が異なる複数の位置毎に入射端で測定し、異常曲げ判断部は、光パワー測定部が所定期間以上の間に複数の位置毎に繰り返し測定した光パワーの変動量が所定値以上である箇所に異常曲げが発生していると判断してよい。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】異常曲げが発生している箇所を含む光ファイバ芯線の波長１５５０ｎｍにおける光パワーの測定結果の一例を示す。
【図２】図１に示したものと同一の光ファイバ芯線の波長１６２５ｎｍにおける光パワーの測定結果の一例を示す。
【図３】異常曲げが発生している光ファイバ芯線における時間に対する光損失の測定結果の一例を示す。
【図４】測定装置１００の一例を示す。
【図５】変化箇所における波長対損失特性の一例を示す。
【図６】測定装置２００の一例を示す。
【図７】光ファイバ芯線における位置と、波長対損失特性の傾きとの関係を求めた結果を示す。
【図８】光ファイバネットワーク８００の一例を示す。
【図９】測定装置９００の一例を示す。
【図１０】光ファイバネットワーク８００の各光ファイバ芯線の、各クロージャー部における波長対損失特性の傾きの一例を示す。
【発明を実施するための形態】
【００１９】
以下、発明の実施の形態を通じて本発明を説明するが、以下の実施の形態は特許請求の範囲にかかる発明を限定するものではない。また、実施の形態の中で説明されている特徴の組み合わせの全てが発明の解決手段に必須であるとは限らない。
【００２０】
図１は、異常曲げが発生している箇所を含む光ファイバ芯線の波長１５５０ｎｍにおける光パワーの測定結果の一例を示す。図１に示す光ファイバ芯線は、融着接続不良により光損失が発生している接続点ａと、異常曲げが発生している接続点ｂとを含む。接続点ａおよび接続点ｂは、光接続部の一例であってよい。
【００２１】
異常曲げが生じる原因の一つとして、クリーピングによるものがある。ここで、クリーピングとは、車両の通行によって起こる振動等により光ファイバ芯線が移動する現象のことをいう。このクリーピングによって光ファイバ芯線に曲率半径を小さくする曲げが生じてしまう。
【００２２】
光時間領域反射測定器（ＯＴＤＲ）を用いて光ファイバ芯線の光パワーを測定する場合、光ファイバ芯線の一端である入射端から光を入射させ、入射端に戻ってくる後方散乱光を入射端で計測することで光パワーを検出する。また、光時間領域反射測定器を用いて、複数の波長の光を入射端に入射させ、複数の波長の後方散乱光の光パワーを測定してもよく、光ファイバ芯線の少なくとも一部を通過する光の光パワーを測定してもよい。
【００２３】
図１の測定結果は、横軸が距離を示し、縦軸が光パワーを示す。光時間領域反射測定器は、光ファイバ芯線の入射端からの距離が異なる複数の位置からの後方散乱光の光パワーを測定する。後方散乱光の光パワーは、入射端からの距離に応じて減少していく。つまり、入射端から遠い距離からの後方散乱光ほど光パワーが小さくなる。
【００２４】
また、光パワーが急激に減少している箇所ａおよび箇所ｂがある。つまり、光パワーが単位距離当りで所定値以上減少している箇所ａおよび箇所ｂがある。光パワーが急激に減少している箇所ａおよび箇所ｂは、光ファイバ芯線の接続部分であるクロージャー部で発生する。接続部分の数が多いほど、光パワーが急激に減少している箇所が多くなる。クロージャー部は、収容部の一例であってよい。クロージャー部は、光ファイバ芯線の光接続部および余長とを収容する。光パワーの減少具合は、光ファイバ芯線の光損失の大きさを表している。光パワーの変化量Ｌ１１が箇所ａの光損失の量を示し、光パワーの変化量Ｌ１２が箇所ｂの光損失の量を示す。
【００２５】
図１の測定結果だけからでは、箇所aと箇所bとについて、光損失Ｌ１１と光損失Ｌ１２とは同程度であり、光損失の発生原因が接続部分の融着接続が不良であることによるものか、異常曲げが発生していることによるものかを判別できない。即ち、光時間領域反射測定器で単に光ファイバ芯線による後方散乱光の光パワーを検出しても、異常曲げによる光損失が発生しているか否かを簡単に判断できない。
【００２６】
図２は、図１に示したものと同一の光ファイバ芯線の波長１６２５ｎｍにおける光パワーの測定結果の一例を示す。図１の測定結果は、横軸が距離を示し、縦軸が光パワーを示す。図２においても、図１と同様に、光パワーが急激に減少している箇所ａおよび箇所ｂがある。光パワーの変化量Ｌ２１が箇所ａの光損失の量を示し、変化量Ｌ２２が箇所ｂの光損失の量を示す。
【００２７】
図１の測定結果と図２の測定結果とを比較すると、接続部分の融着接続が不良であることによる箇所aの光損失は、波長１５５０nmにおける光損失Ｌ１１と波長１６２５ｎｍにおける光損失Ｌ２１がほぼ同等であるのに対して、異常曲げが発生している箇所ｂの光損失は、波長１５５０nmにおける光損失Ｌ１２と比べて、波長１６２５ｎｍにおける光損失Ｌ２２が大きくなっている。実施の形態では、このような測定結果を利用することで、異常曲げによる光損失が発生しているか否かを簡単に判断できる測定装置について説明する。
【００２８】
図３は、異常曲げが発生している光ファイバ芯線における時間に対する光損失の測定結果の一例を示す。図３の測定結果は、横軸が時間を示し、縦軸が光損失を示す。図３に示すように、異常曲げが発生している光ファイバ芯線においては、光損失の経時変動が観測される。このように、異常曲げが発生している場合には、時間の経過にともなう光損失変動が起こり、最悪の場合、光通信ができなくなる期間も生じてしまう。異常曲げによる光損失が時間の経過にともなって変動する理由として、温度変動による光ファイバ芯線の伸縮等による光ファイバ芯線の曲げの曲率半径の変動が挙げられる。一方、異常曲げが発生していない光ファイバ芯線においては、通常、このような光損失の経時変動は観測されない。
【００２９】
このように、所定期間以上の間、繰り返し後方散乱光の光パワーを検出することで、異常曲げによる光損失か、異常曲げによらない光損失かを判断できる。また、異常曲げによる光損失が発生している箇所がどこであるかを判断できるので、異常曲げによる光損失が発生している箇所のみを工事することで、異常曲げを改善できる。
【００３０】
図４は、実施の形態に係る測定装置１００の一例を示す。測定装置１００は、光パワー測定部１０１、変化箇所検出部１０２、変化量算出部１０３、および異常曲げ判断部１０４を備える。測定装置１００は、光ファイバ芯線の複数の位置における光損失を繰り返し測定し、光損失の変動から異常曲げが発生している光ファイバ芯線における箇所を判断する。
【００３１】
光パワー測定部１０１は、光ファイバ芯線の少なくとも一部を通過する光の光パワーを測定する。光パワー測定部１０１は、光ファイバ芯線の入射端から入射された光の後方散乱光の光パワーを、入射端からの距離が異なる複数の位置毎に、入射端で測定する。つまり、入射端からの距離が異なる複数の位置からの後方散乱光の光パワーを入射端で測定する。光パワー測定部１０１は、所定期間以上の間に、複数の位置からの後方散乱光の光パワーを繰り返し測定してよい。
【００３２】
光パワー測定部１０１は、光ファイバ芯線の入射端から入射された光に含まれる複数の波長のそれぞれについて、入射端からの距離が異なる複数の位置からの後方散乱光の光パワーを入射端で測定してよい。光パワー測定部１０１によって測定された光パワーの変化が、光ファイバ芯線のそれぞれの箇所における光損失を示す。
【００３３】
光パワー測定部１０１は、測定した複数の位置からの後方散乱光の光パワーを、変化箇所検出部１０２および変化量算出部１０３に出力する。光パワー測定部１０１は、測定した複数の位置からの後方散乱光の光パワーと波長とを異常曲げ判断部１０４に出力する。なお、光パワー測定部１０１は、光時間領域反射測定器であってよい。
【００３４】
変化箇所検出部１０２は、光パワー測定部１０１が測定した複数の位置からの後方散乱光の光パワーに基づいて、光パワーが単位距離当りで所定値以上減少する変化箇所を検出する。例えば、変化箇所検出部１０２は、図１および図２に示すような、光パワーが急激に減少している箇所ａおよび箇所ｂを検出する。変化箇所検出部１０２は、光パワー測定部１０１で所定期間以上の間に繰り返し測定される毎に、複数の位置からの後方散乱光の光パワーに基づいて、光パワーが単位距離当りで所定値以上減少する変化箇所を検出してよい。
【００３５】
変化箇所検出部１０２は、光パワー測定部１０１が測定した複数の波長のそれぞれについての複数の位置からの後方散乱光の光パワーに基づいて、光パワーが単位距離当りで所定値以上減少する変化箇所を検出してよい。変化箇所検出部１０２は、光パワーが急激に減少している箇所が複数ある場合は、複数の変化箇所を検出する。変化箇所検出部１０２は、検出した変化箇所を変化量算出部１０３に出力する。なお、変化箇所検出部１０２は、光時間領域反射測定器の中に設けられてもよい。
【００３６】
変化量算出部１０３は、変化箇所検出部１０２が検出した変化箇所における光パワーの変化量を算出する。例えば、図１に示す箇所ａが変化箇所として検出された場合、変化量はL１１となり、図２に示す箇所ｂが変化箇所として検出された場合、変化量はL２２となる。変化量算出部１０３は、光パワー測定部１０１で所定期間以上の間に繰り返し測定される毎に検出された変化箇所の変化量を算出する。変化量算出部１０３は、複数の波長のそれぞれについて、変化箇所における光パワーの変化量を算出してよい。変化量算出部１０３は、算出した変化量を異常曲げ判断部１０４に出力する。なお、変化量算出部１０３は、光時間領域反射測定器の中に設けられてもよい。
【００３７】
異常曲げ判断部１０４は、光パワー測定部１０１で繰り返し測定される毎に検出された変化箇所の変化量に基づいて、変化量算出部１０３で算出された光パワーが急激に減少している変化箇所の変化量の変動が所定値以上である変化箇所に異常が発生していると判断する。異常曲げ判断部１０４は、変化量算出部１０３で算出された光パワーが急激に減少している変化箇所の変化量を記録してよい。
【００３８】
異常曲げ判断部１０４は、変化量算出部１０３で算出された光パワーが急激に減少している変化箇所の変化量の最大値と最小値との差が一定値以上である変化箇所に異常曲げが発生していると判断してよい。異常曲げ判断部１０４は、変化量算出部１０３で算出された光パワーが急激に減少している変化箇所の変化量の変動が一定値以上である判断した時点で、直ちに異常曲げが発生していると判断してよい。異常曲げ判断部１０４は、変化箇所の複数の波長毎の変化量のうち、１つでも変化量の変動が所定値以上であると判断した場合は、変化箇所は異常曲げが発生していると判断してよい。異常曲げ判断部１０４は、検出された複数の変化箇所のうち、変化量の変動が所定値以上である変化箇所に異常曲げが発生していると判断してよい。なお、異常曲げ判断部１０４は、光時間領域反射測定器の中に設けられてもよい。
【００３９】
上記実施の形態では、後方散乱光の光パワーが急激に減少する変化箇所を検出して、変化箇所における変化量の変動を見ることで、異常曲げが発生している箇所を判断するようにしたが、単に後方散乱光の光パワーを繰り返し測定していき、光パワーの変動量が所定値以上となる箇所に異常曲げが発生していると判断してよい。つまり、異常曲げ判断部１０４は、光パワー測定部１０１が所定期間以上の間に繰り返し測定した複数の位置毎の光パワーの変動量に基づいて、光パワーの変動量が所定値以上である箇所に異常曲げが発生していると判断してよい。
【００４０】
この場合、ある光ファイバ芯線の箇所に異常曲げが発生していなくても、その箇所より入射端に近い箇所に異常曲げが発生していると、異常曲げが発生している箇所の光パワーの変動に影響を受けて、異常曲げが発生していない箇所にも光パワーの変動が生じてしまうので、これを考慮して異常曲げが発生している箇所を特定してもよい。測定されたある位置の光パワーの変動量が、この位置の前後にある測定された位置の光パワーの変動量と同じである場合は、この位置には異常曲げが発生していないと判断してもよい。
【００４１】
また、上記実施の形態では、後方散乱光の光パワーが急激に減少する変化箇所を検出して、変化箇所における変化量の変動を見ることで、異常曲げが発生している光ファイバ芯線における箇所を判断するようにしたが、光ファイバ芯線を通過した光が光ファイバ芯線から出射する出射端からの出射光の光パワーの変動量が所定値以上である場合は、異常曲げが発生している光ファイバ芯線と判断してよい。つまり、異常曲げ判断部１０４は、光パワー測定部１０１が所定期間以上の間に繰り返し測定した出射端からの出射光の光パワーの変動量が所定値以上である場合に、光ファイバ芯線に異常曲げが発生していると判断してよい。
【００４２】
光ファイバ芯線の出射端からの出射光の光パワーを検出することで、光ファイバ芯線の全体の光損失を見ることができる。つまり、光ファイバ芯線全体の光損失の変動が所定値以上の場合は、光ファイバ芯線は異常曲げが発生している光ファイバ芯線と判断できる。この場合、光パワー測定部１０１は、光時間領域反射測定器に代えて、光を光ファイバ芯線の入射端から入射させ、出射端から出射した出射光の光パワーを測定する機器であってもよい。
【００４３】
ここで、図１および図２に示すように、異常曲げが生じていて光パワーが単位距離当りで所定値以上減少している箇所ｂでは、光パワーの変化量が波長に応じて変わる。特に、長波長と短波長とではその変化量の差が大きい。この特性を利用して、異常曲げが発生している光ファイバ芯線の箇所を特定できる。
【００４４】
具体的には、変化箇所における波長対損失特性を求め、波長対損失特性の傾きと損失基準値ｋとを比較することで、異常曲げが発生している箇所を特定する。波長対損失特性は、複数の波長と、複数の波長における変化箇所の光パワーの変化量との関係を示す。複数の波長は、光パワーが測定された光の波長を示す。損失基準値ｋは、光パワーの測定に用いられた複数の波長に応じて定まる。波長対損失特性の傾きが損失基準値より大きい変化箇所を、予め定められた光損失より大きい光損失が発生している箇所を、異常曲げが生じている異常箇所として特定する。
【００４５】
図５は、変化箇所における波長対損失特性の一例を示す。変化箇所における波長λ１の光パワーの変化量をＳ１１とし、波長λ２の光パワーの変化量をＳ１２とする。ここで、λ２＞λ１とする。波長λ１と変化量Ｓ１１とで定められる点と、波長λ２と変化量Ｓ１２とで定められる点とが示す波長対損失特性の傾きが、損失基準値ｋより大きければ、その変化箇所は異常箇所となり、損失基準値ｋ以下であれば変化箇所は予め定められた光損失以下の光損失が発生している正常箇所となる。つまり、（Ｓ１２−Ｓ１１）／（λ２−λ１）＞ｋである変化箇所が異常箇所となる。この場合の損失基準値ｋは、波長λ１および波長λ２に応じて定められる。
【００４６】
なお、３つ以上の波長と、３つ以上の波長のそれぞれにおける変化箇所の変化量とに基づいて、波長対損失特性を算出する場合、最小二乗法を用いて波長対損失特性を算出してよい。そして、算出した波長対損失特性の傾きが損失基準値より大きければ、その変化箇所を異常箇所として特定する。
【００４７】
ここで、光ファイバ芯線の入射端から入射した光が後方散乱光として入射端に戻ってくる時間に応じて、後方散乱光がどの距離からの後方散乱光であるかを算出できる。しかし、同じ距離からの後方散乱光であっても、波長に応じて光ファイバ芯線の屈折率が異なるので、入射端に戻ってくる時間が異なる。これにより、測定した後方散乱光がどの距離から戻ってきた後方散乱光であるかを正確に特定できない。例えば、シングルモード光ファイバ（ＳＭＦ）の場合、同じ屈折率で、波長１５５０ｎｍと波長１６２５ｎｍとで後方散乱光が発生した位置までの距離を求めた場合、１０ｋｍの伝送距離において３ｍ程度の誤差が生じてしまう。また、光ファイバ芯線の種類によっても算出される距離に誤差がでてしまう。
【００４８】
このようなことから、波長間における距離の誤差を低減させる必要がある。以下、波長間の誤差が生じないように距離を測定する方法について述べる。第１の方法としては、測定する後方散乱光の波長に対応する屈折率と、測定するそれぞれの位置からの後方散乱光の戻り時間とに基づいて、後方散乱光が発生したそれぞれの位置までの距離を算出する。
【００４９】
第２の方法としては、予め定められた屈折率を用いて複数の波長の後方散乱光が発生した位置までの距離を求め、求めた距離を補正する。予め定められた屈折率は、複数の波長のうちいずれか一つの波長に対応する屈折率であってよい。予め定められた屈折率で複数の波長毎のそれぞれの位置からの後方散乱光の戻り時間から、複数の波長のそれぞれについての後方散乱光が発生した位置までの距離を算出する。そして、算出された距離を、後方散乱光の波長の波長分散値または群遅延を用いて補正する。
【００５０】
具体的には、後方散乱光が発生した位置までの距離を、後方散乱光の波長の波長分散値または群遅延と、距離を算出するために用いた屈折率に対応する波長の波長分散値または群遅延とを用いて補正する。例えば、予め定められた屈折率として用いられた屈折率が波長Ｂの屈折率であり、波長Ａの後方散乱光が発生した位置までの距離を補正する場合、波長Ｂの分散値または群遅延と、波長Ａの波長分散値または群遅延とを用いて、波長Ａの後方散乱光が発生した位置までの距離を補正する。なお、予め定められた屈折率として複数の波長のいずれか１つの波長に対応する屈折率で複数の波長の後方散乱光が発生した位置までの距離を求めた場合は、その屈折率に対応する波長の後方散乱光が発生した位置までの距離は補正しない。この複数の波長に対応する波長分散値または群遅延は、予め記録しておいてもよく、測定してもよい。
【００５１】
具体的には、補正後の距離をＬ´とすると、Ｌ´＝Ｌ／（１＋ΔＧＤ×ｃ／ｎ）という関係式で距離Ｌを補正できる。ｃは光速、ｎは屈折率、Ｌは測定された距離を示す。波長分散値を用いてΔＧＤを表すと、ΔＧＤ＝（ＣＤ（λＢ）−ＣＤ（λＡ））×Δλ／２となり、群遅延を用いて表すと、ΔＧＤ＝ＧＤ（λＢ）−ＧＤ（λＡ）となる。ＣＤ（λ）は、波長λにおける波長分散値を表しており、ＧＤ（λ）は、波長λにおける群遅延を表している。Δλは、Δλ＝λＢ−λＡで表される。
【００５２】
図６は、他の実施の形態の測定装置２００の一例を示す。図４に示した測定装置１００によれば、異常曲げによる曲げが発生した光ファイバ芯線および光ファイバ芯線の箇所を特定できる。しかしながら、少なくとも１日以上の時間を要してしまい、異常曲げが発生している光ファイバ芯線の箇所を短時間で特定できない。一方で、図６に示した測定装置２００によれば、後述のように、短時間で簡便に異常曲げが発生している光ファイバ芯線の箇所を特定できる。
【００５３】
測定装置２００は、光パワー測定部２０１、距離算出部２０２、距離補正部２０３、変化箇所検出部２０４、変化量算出部２０５、特性算出部２０６、および異常箇所特定部２０７を備える。なお、光パワー測定部１０１、変化箇所検出部２０４、および変化量算出部２０５は、以下に説明する部分を除き、図４において説明した光パワー測定部１０１、変化箇所検出部１０２、および変化量算出部１０３と同一の機能を有する。
【００５４】
光パワー測定部２０１は、複数の位置からの後方散乱光の光パワーを測定し、変化箇所検出部２０４、変化量算出部２０５、およびを特性算出部２０６に出力する。
【００５５】
距離算出部２０２は、光ファイバ芯線の入射端から入射して後方散乱光として入射端に戻ってくる時間に基づいて、複数の波長のそれぞれについての後方散乱光が、どの距離からの後方散乱光であるかを算出する。距離算出部２０２は、予め定められた屈折率を用いて、複数の波長のそれぞれの位置からの後方散乱光が、どの距離からの後方散乱光であるかを算出する。予め定められた屈折率は、複数の波長のうち、いずれか１つの波長に対応する屈折率であってよい。距離算出部２０２は、複数の波長のそれぞれの後方散乱光が発生した位置までの距離を距離補正部２０３に出力する。
【００５６】
距離補正部２０３は、複数の波長の少なくとも１つの波長の波長分散値または群遅延を用いて、複数の波長の少なくとも１つの波長の後方散乱光が発生した位置までの距離を補正する。距離補正部２０３は、予め定められた屈折率に対応する波長とは異なる波長の後方散乱光が発生した位置までの距離を補正する。また、距離補正部２０３は、予め定められた屈折率に対応する波長とは異なる波長の後方散乱光が発生した位置までの距離を、予め定められた屈折率に対応する波長の波長分散値または群遅延と、予め定められた屈折率に対応する波長とは異なる波長の波長分散値または群遅延とを用いて補正する。距離補正部２０３は、波長毎の後方散乱光が発生した位置までの距離を補正し、補正した距離を変化箇所検出部２０４、変化量算出部２０５、および特性算出部２０６に出力する。
【００５７】
これにより、変化箇所検出部２０４、変化量算出部２０５、および特性算出部２０６において、測定されたそれぞれの後方散乱光が、どの位置からの後方散乱光であるかを精度よく特定できる。なお、距離算出部２０２が、測定する後方散乱光の波長に応じた屈折率を用いて、後方散乱光が発生した位置までの距離を算出してもよい。この場合、測定装置２００は、距離補正部２０３を有しなくてよい。また、距離補正部２０３は、複数の波長のそれぞれの波長分散値または群遅延を記録したメモリを有してよい。また、距離補正部２０３は、測定された複数の波長のそれぞれの波長分散値または群遅延を外部から取得してもよい。
【００５８】
変化箇所検出部２０４は、光パワー測定部２０１が測定した複数の波長のそれぞれについての複数の位置からの後方散乱光の光パワーが単位距離当りで所定値以上減少する変化箇所を検出する。変化箇所検出部２０４は、検出した変化箇所を変化量算出部２０５に出力する。
【００５９】
変化量算出部２０５は、変化箇所検出部２０４が検出した変化箇所における複数の波長のそれぞれについての光パワーの変化量を算出する。変化量算出部２０５は、算出した変化量を特性算出部２０６に出力する。なお、変化量算出部２０５は、光時間領域反射測定器の中に設けられてもよい。
【００６０】
特性算出部２０６は、光パワー測定部２０１が測定した複数の波長のそれぞれについての光パワーと、複数の波長とを用いて、光ファイバ芯線の波長対損失特性を算出する。具体的には、特性算出部２０６は、複数の波長と、複数の波長のそれぞれにおける変化箇所の変化量とに基づいて、変化箇所の波長対損失特性を算出する。特性算出部２０６は、変化箇所が複数ある場合は、それぞれの変化箇所における波長対損失特性を算出する。
【００６１】
特性算出部２０６は、２つの波長と、２つの波長のそれぞれにおける変化箇所の変化量とに基づいて、変化箇所の波長対損失特性の傾きを算出する場合は、（Ｓ１２−Ｓ１１）／（λ２−λ１）、の関係式によって算出してよい。λ２＞λ１とする。また、Ｓ１１は波長λ１の光パワーの変化箇所での変化量を示し、Ｓ１２は波長λ２の光パワーの変化箇所での変化量を示す。特性算出部２０６は、３以上の波長と、３以上の波長のそれぞれについての変化箇所の変化量とに基づいて、最小二乗法を用いて、波長対損失特性を求めてよい。
【００６２】
異常箇所特定部２０７は、波長対損失特性の傾きと、複数の波長に応じて定められる損失基準値ｋとを比較することで、予め定められた光損失より大きい光損失が発生している異常箇所を特定する。異常箇所特定部２０７は、変化箇所における波長対損失特性の傾きと損失基準値ｋとを比較し、波長対損失特性の傾きが損失基準値ｋより大きい場合、その変化箇所を異常箇所として特定する。なお、波長対損失特性の傾きが損失基準値ｋより大きくない変化箇所は正常箇所となる。また、光ファイバ芯線の種類によって曲げ耐性が異なるので、異常箇所特定部２０７は、複数の波長および光ファイバ芯線の種類に応じて定められる損失基準値に基づいて、異常箇所を特定してもよい。
【００６３】
このように、波長対損失特性と損失基準値ｋとを比較することで、予め定められた光損失より大きい光損失が発生している異常箇所を特定するので、短時間に異常曲げが発生している光ファイバ芯線の中で異常箇所を特定できる。また、異常曲げが生じている異常箇所を特定できるので、異常箇所をのみを工事することで、異常曲げを無くすことができる。
【００６４】
なお、以下のような方法によって異常箇所を特定してもよい。特性算出部２０６は、光パワー測定部２０１が測定した複数の波長のそれぞれのついての光パワーと、複数の波長とを用いて、光ファイバ芯線の波長対損失特性を算出する。特性算出部２０６は、複数の位置からの複数の波長のそれぞれについての光パワーと、複数の波長とを用いて、それぞれの位置における波長対損失特性を算出する。さらに、特性算出部２０６は、それぞれの位置における波長対損失特性の傾きを算出してもよい。
【００６５】
特性算出部２０６は、２つの波長と、２つの波長のそれぞれにおける距離における光パワーとに基づいて、それぞれの位置における波長対損失特性の傾きを算出する場合は、｜Ｐ２−Ｐ１｜／（λ２−λ１）、の関係式によって算出してよい。λ２＞λ１とする。また、Ｐ１は波長λ１の光パワーを示し、Ｐ２は波長λ２の光パワーを示す。特性算出部２０６は、３つ以上の波長と、３つ以上の波長のそれぞれについての光パワーとに基づいて、最小二乗法を用いて波長対損失特性を求めてよい。特性算出部２０６は、算出したそれぞれの距離における波長対損失特性の傾きを変化箇所検出部２０４に出力する。
【００６６】
変化箇所検出部２０４は、複数の位置における波長対損失特性の傾きが、単位距離当りで所定値以上変化する変化箇所を検出する。つまり、波長対損失特性の傾きが急激に変化している変化箇所を検出する。変化箇所検出部２０４は、検出した変化箇所を変化量算出部２０５に出力する。変化量算出部２０５は、変化箇所検出部２０４が検出した変化箇所における傾きの変化量を算出する。変化量算出部２０５は、複数の変化箇所が検出された場合は、複数の変化箇所のそれぞれに波長対損失特性の傾きの変化量を算出してよい。変化量算出部２０５は、算出した変化箇所の変化量を異常箇所特定部２０７に出力する。
【００６７】
異常箇所特定部２０７は、変化箇所の波長対損失特性の傾きの変化量と損失基準値ｋとを比較することで、予め定められた光損失より大きい光損失が発生している異常箇所を特定する。異常箇所特定部２０７は、変化箇所の傾きの変化量が損失基準値ｋより大きい場合、変化箇所を異常箇所として特定する。変化箇所が複数ある場合、異常箇所特定部２０７は、傾きの変化量が損失基準値より大きい変化箇所を異常箇所として特定する。
【００６８】
図７は、図１および図２に示した測定結果について、光ファイバ芯線における位置と、波長対損失特性の傾きと関係を求めた結果を示す。図７において、縦軸が波長対損失特性の傾きを示し、横軸が距離を示す。箇所ｂは、波長対損失特性の傾きが急激に変化している、つまり、単位距離当りで所定値以上変化している変化箇所である。箇所ｂの変化量Ｓ３が損失基準値ｋより大きく変化している場合は、変化箇所ｂを異常箇所として特定する。これにより、光パワーが急激に減少する変化箇所が、ある波長では検出できたが、他の波長では検出できないといった場合でも異常箇所を正確に特定できる。
【００６９】
上述のとおり、異常曲げの発生による光損失は、主にクロージャー部の中で発生する。そこで、異常箇所の位置を特定することで、どのクロージャー部において異常曲げが発生しているかを特定することができる。光ファイバ芯線が１本だけであれば、大きな異常曲げが発生しているクロージャー部から順番に修繕を開始してもよい。しかし、通常、クロージャー部は複数の光ファイバ芯線の光接続部を収容しており、優先順位を決めずにクロージャー部を修繕することは効率的でない。そこで、複数のクロージャー部のうち、いずれのクロージャー部における光ファイバ芯線の異常から優先的に修繕するかを決定することが望まれる。
【００７０】
図８は、光ファイバネットワーク８００の一例を示す。光ファイバネットワーク８００を例として、修繕計画の立案方法について説明する。光ファイバネットワーク８００は、多心光ファイバケーブル８１０、多心光ファイバケーブル８３０、多心光ファイバケーブル８５０および多心光ファイバケーブル８７０と、クロージャー部８９０、クロージャー部８９２、クロージャー部８９４、クロージャー部８９６、クロージャー部８９８とを備える。
【００７１】
本実施形態において、多心光ファイバケーブル８１０は４心光ファイバケーブルであり、光ファイバ芯線８１２、光ファイバ芯線８１４、光ファイバ芯線８１６および光ファイバ芯線８１８を有する。多心光ファイバケーブル８１０の種類は、特に限定されるものではない。多心光ファイバケーブル８１０は、複数の光ファイバ芯線を樹脂で覆ったテープ芯線であってもよく、複数の光ファイバ芯線または複数のテープ芯線をシースで覆った光ケーブルであってもよい。光ファイバ芯線８１２、光ファイバ芯線８１４、光ファイバ芯線８１６および光ファイバ芯線８１８は、それぞれ、光接続部８２２、光接続部８２４、光接続部８２６および光接続部８２８を有する。
【００７２】
同様に、多心光ファイバケーブル８３０は、光ファイバ芯線８３２、光ファイバ芯線８３４、光ファイバ芯線８３６および光ファイバ芯線８３８と、光接続部８４２、光接続部８４４、光接続部８４６および光接続部８４８とを有する。多心光ファイバケーブル８５０は、光ファイバ芯線８５２、光ファイバ芯線８５４、光ファイバ芯線８５６および光ファイバ芯線８５８と、光接続部８６２、光接続部８６４、光接続部８６６および光接続部８６８とを有する。多心光ファイバケーブル８７０は、光ファイバ芯線８７２、光ファイバ芯線８７４、光ファイバ芯線８７６および光ファイバ芯線８７８と、光接続部８８２、光接続部８８４、光接続部８８６および光接続部８８８とを有する。
【００７３】
クロージャー部８９０は、多心光ファイバケーブル８１０、多心光ファイバケーブル８３０、多心光ファイバケーブル８５０および多心光ファイバケーブル８７０の光接続部を収容する。クロージャー部８９０は、各多心光ファイバケーブルの余長を収容してよい。クロージャー部８９２、クロージャー部８９４、クロージャー部８９６およびクロージャー部８９８も、クロージャー部８９０と同様の構成を有する。
【００７４】
図９は、測定装置９００の一例を示す。測定装置９００は、修繕順序決定部９１０を備える以外は、測定装置２００と同様の構成を有してよい。そこで、測定装置９００については、測定装置２００との相違点を中心に説明し、重複する説明については省略する場合がある。
【００７５】
本実施形態において、光パワー測定部２０１は、複数の光ファイバ芯線のうち、２以上の光ファイバ芯線について、後方散乱光の光パワーを測定してよい。このとき、光パワー測定部２０１は、２以上の光ファイバ芯線のそれぞれの入射端から入射された光に含まれる複数の波長のそれぞれについて、それぞれの入射端からの距離が異なる複数の位置からの後方散乱光の光パワーを、それぞれの入射端で測定する。
【００７６】
ここで、現実の使用に供されている光ファイバ芯線（現用回線と称する場合がある。）については、後方散乱光の光パワーを測定することはできない。そこで、多心光ファイバケーブル８１０、多心光ファイバケーブル８３０、多心光ファイバケーブル８５０および多心光ファイバケーブル８７０に含まれる光ファイバ芯線の中から、現実の使用に供されていない光ファイバ芯線を選択して、選択した光ファイバ芯線について後方散乱光の光パワーを測定してよい。
【００７７】
一例として、多心光ファイバケーブルのそれぞれについて、現実の使用に供されていない光ファイバ芯線を１本ずつ選択してもよい。この場合、後方散乱光の光パワーを測定した光ファイバ芯線と同一の多心光ファイバケーブルに含まれる光ファイバ芯線の波長対損失特性の傾きは、後方散乱光の光パワーを測定した光ファイバ芯線の波長対損失特性の傾きに基づいて算出してよい。
【００７８】
例えば、波長対損失特性の傾きは光ファイバ芯線の種類によって異なる。そこで、光ファイバ芯線の種類が異なる場合における、波長対損失特性の傾きの換算係数を予め求めておき、後方散乱光の光パワーを測定した光ファイバ芯線の種類および波長対損失特性の傾きと、当該換算係数とを用いて、後方散乱光の光パワーを測定していない光ファイバ芯線の波長対損失特性の傾きを算出してよい。これにより、光ファイバ芯線が現実の使用に供されており、後方散乱光の光パワーを測定することができない場合であっても、当該光ファイバ芯線の波長対損失特性の傾きを算出することができる。
【００７９】
本実施形態において、特性算出部２０６は、上記２以上の光ファイバ芯線のそれぞれについて、波長対損失特性を算出してよい。また、異常箇所特定部２０７は、上記２以上の光ファイバ芯線のそれぞれについて、異常箇所を特定してよい。
【００８０】
なお、本実施形態において、光パワー測定部２０１により後方散乱光の光パワーを測定した２以上の光ファイバ芯線が、それぞれ、異なる多心光ファイバケーブルを構成する場合について説明した。しかし、光パワー測定部２０１による後方散乱光の光パワーの測定方法はこれに限定されない。
【００８１】
光パワー測定部２０１は、多心光ファイバケーブルのそれぞれについて、当該多心光ファイバケーブルに含まれる光ファイバ芯線の中から、現実の使用に供されていない光ファイバ芯線を複数選択して、選択した光ファイバ芯線について後方散乱光の光パワーを測定してもよい。この場合、同一の多心光ファイバケーブルに含まれる光ファイバ芯線のうち、実際に光パワーを測定した複数の光ファイバ芯線の波長対損失特性の傾きに基づいて、光パワーを測定していない光ファイバ芯線の波長対損失特性の傾きを算出してよい。例えば、実際に光パワーを測定した複数の光ファイバ芯線の波長対損失特性の傾きの統計値を用いて、光パワーを測定していない光ファイバ芯線の波長対損失特性の傾きを算出することができる。
【００８２】
修繕順序決定部９１０は、異常箇所における波長対損失特性の傾きに基づいて、複数のクロージャー部のうち、いずれのクロージャー部における光ファイバ芯線の異常から修復作業を開始するかを決定する。本実施形態において、修繕順序決定部９１０は、異常箇所特定部２０７から、光パワーを測定した光ファイバ芯線に関する情報と、当該光ファイバ芯線のそれぞれについて、各異常箇所における波長対損失特性の傾きおよび各異常箇所の位置に関する情報とを受け取る。
【００８３】
修繕順序決定部９１０は、クロージャー部８９０、クロージャー部８９２、クロージャー部８９４、クロージャー部８９６およびクロージャー部８９８のそれぞれについて、各クロージャー部における波長対損失特性の傾きの和を算出してよい。修繕順序決定部９１０は、光パワー測定部２０１により後方散乱光の光パワーを測定した光ファイバ芯線の異常箇所における波長対損失特性の傾きを加算して、各クロージャー部における波長対損失特性の傾きの和を算出してもよい。各クロージャー部における波長対損失特性の傾きの和は、例えば、以下の手順により算出できる。
【００８４】
修繕順序決定部９１０は、まず、光パワーを測定した光ファイバ芯線に関する情報と、各クロージャー部が収容する光ファイバ芯線の情報と、各異常箇所の位置に関する情報とに基づいて、各異常箇所と各クロージャー部とを対応づける。これにより、各異常箇所における波長対損失特性の傾きがどのクロージャー部における波長対損失特性の傾きであるかを判断することができる。次に、修繕順序決定部９１０は、複数のクロージャー部のそれぞれについて、各クロージャー部に含まれる各異常箇所おける波長対損失特性の傾きを加算して、各クロージャー部における波長対損失特性の傾きの和を算出する。
【００８５】
修繕順序決定部９１０による波長対損失特性の傾きの和の算出方法の他の例としては、以下を例示できる。修繕順序決定部９１０は、まず、後方散乱光の光パワーを測定した光ファイバ芯線のそれぞれについて、各クロージャー部における波長対損失特性の傾きを算出する。次に、後方散乱光の光パワーを測定していない光ファイバ芯線の各クロージャー部における波長対損失特性の傾きを、後方散乱光の光パワーを測定した光ファイバ芯線の当該クロージャー部における波長対損失特性の傾きに基づいて算出する。その後、クロージャー部ごとに、全ての光ファイバ芯線の各クロージャー部における波長対損失特性の傾きを加算して、各クロージャー部における波長対損失特性の傾きの和を算出する。
【００８６】
修繕順序決定部９１０は、波長対損失特性の傾きの和を算出するときに、光ファイバ芯線ごとに重み付けされた波長対損失特性の傾きの値を用いて、波長対損失特性の傾きの和を算出してよい。修繕順序決定部９１０は、それぞれの光ファイバ芯線の重要度、冗長度、伝送容量および種類に基づいて、当該光ファイバ芯線の波長対損失特性の傾きを重み付けしてよい。重み付けは、それぞれの光ファイバ芯線の重要度、冗長度、伝送容量および種類に基づいて重み付け係数を算出して、波長対損失特性の傾きに重み付け係数を加算または乗算することで実施してよい。
【００８７】
光ファイバ芯線の重要度は、当該光ファイバ芯線の使用目的、当該光ファイバ芯線が利用できなくなった場合に生じる損害の程度、または、同一の多心光ファイバケーブルに現用回線が含まれるか否かに基づいて算出してよい。例えば、使用目的等を数値に換算することで、重要度を算出できる。
【００８８】
光ファイバ芯線の使用目的としては、光ファイバ芯線が伝送するコンテンツの内容、パックアップ回線か通常回線か等を例示できる。例えば、リアルタイム映像を伝送する目的で使用されている光ファイバ芯線は重要度が高いので、重み付け係数の値を大きくすることが考えられる。通常回線はバックアップ回線と比較して重要度が高いので、通常回線の重み付け係数をバックアップ回線の重み付け係数と比較して大きくしてよい。
【００８９】
光ファイバ芯線が利用できなくなった場合に生じる損害の程度の例としては、損害の規模、損害額の大小または復旧までに要する時間を例示できる。例えば、ある光ファイバ芯線についてバックアップ回線に障害が生じている場合には、当該光ファイバ芯線の重み付け係数を大きくしてよい。これにより、当該光ファイバ芯線の異常箇所を優先的に修繕することができる。
【００９０】
同一の多心光ファイバケーブルに含まれる光ファイバ芯線には、同程度の曲げが生じる場合が多い。そこで、光パワーを測定した光ファイバ芯線と同一の多心光ファイバケーブルに他の現用回線が含まれる場合には、光パワーを測定した光ファイバ芯線の重み付け係数を大きくしてよい。これにより、当該現用回線の異常箇所を優先的に修繕することができる。また、多心光ファイバケーブルがテープ芯線を収容している場合には、テープ芯線単位で取り扱われたり、テープ芯線単位で曲げが発生したりする場合が多い。そこで、光パワーを測定した光ファイバ芯線と同一のテープ芯線に他の現用回線が含まれる場合に、光パワーを測定した光ファイバ芯線の重み付け係数を大きくしてよい。これにより、当該現用回線の異常箇所を優先的に修繕することができる。
【００９１】
光ファイバ芯線の冗長度は、当該光ファイバ芯線が利用できなくなった場合のバックアップ回線の数、復旧することができる伝送容量、回線の復旧方法または回線の復旧に要する時間に基づいて算出してよい。例えば、バックアップ回線の数等を数値に換算することで、冗長度を算出できる。伝送装置を用いて現用回線とパックアップ回線とを瞬時に切り替える復旧方法を採用している場合と、復旧ルートを探索した後、現用回線とパックアップ回線とを切り替える復旧方法を採用している場合とでは、復旧に要する時間が異なる。そこで、回線の復旧方法または回線の復旧に要する時間に応じて、冗長度の重み付け係数を決定してよい。
【００９２】
修繕順序決定部９１０は、それぞれのクロージャー部における使用されている光ファイバ芯線の数に基づいて、当該クロージャー部に収容している光ファイバ芯線の、当該クロージャー部における波長対損失特性の傾きを重み付けしてよい。例えば、重要度の高い光ファイバ芯線のバックアップ回線のように、重要度は高くても、現在、使用されていない光ファイバ芯線も存在する。しかし、上記構成を採用することで、修繕の優先順位が低い光ファイバ芯線により、修繕順序決定部９１０の判断の精度が低下することを防ぐことができる。
【００９３】
修繕順序決定部９１０は、各異常箇所における波長対損失特性の傾きの値に基づいて、当該波長対損失特性の傾きを重み付けしてよい。一例としては、波長対損失特性の傾きが一定値以上であれば、当該波長対損失特性の傾きに重みを付けて、波長対損失特性の傾きの和を算出してよい。
【００９４】
修繕順序決定部９１０は、各光ファイバ芯線または各クロージャー部の過去の履歴に基づいて、当該波長対損失特性の傾きを重み付けしてよい。例えば、過去の履歴を数値に換算することで、重要度を算出できる。一例としては、各光ファイバ芯線または各クロージャー部における異常曲げの発生頻度、または、過去の修繕内容が恒久的な処置であるか若しくは応急処置であるかに基づいて、当該波長対損失特性の傾きを重み付けしてよい。
【００９５】
修繕順序決定部９１０は、後方散乱光の光パワーを測定した光ファイバ芯線の各クロージャー部における波長対損失特性の傾きを加算して、波長対損失特性の傾きの和を算出する場合には、光パワーを測定した光ファイバ芯線の重み付け係数として、同一の多心光ファイバケーブルに含まれる光ファイバ芯線の重み付け係数のうち、最も大きな重み付け係数を用いてもよい。多心光ファイバケーブルがテープ芯線を収容している場合には、光パワーを測定した光ファイバ芯線の重み付け係数として、同一のテープ芯線に含まれる光ファイバ芯線の重み付け係数のうち、最も大きな重み付け係数を用いてもよい。
【００９６】
同一の多心光ファイバケーブルに含まれる光ファイバ芯線には、同程度の曲げが生じる場合が多い。上記の構成を採用することで、後方散乱光の光パワーを測定した光ファイバ芯線自体の重み付け係数が小さい場合であっても、同一の多心光ファイバケーブルに含まれる重み付け係数の大きな光ファイバ芯線を優先的に修繕することができる。
【００９７】
修繕順序決定部９１０は、各クロージャー部毎に算出した波長対損失特性の傾きの和に基づいて、クロージャー部８９０、クロージャー部８９２、クロージャー部８９４、クロージャー部８９６およびクロージャー部８９８のうち、どのクロージャー部から順に修繕するかを決定してよい。修繕順序決定部９１０は、クロージャー部８９０、クロージャー部８９２、クロージャー部８９４、クロージャー部８９６およびクロージャー部８９８のうち、波長対損失特性の傾きの和が大きいクロージャー部から順に修繕することを決定してよい。
【００９８】
波長対損失特性の傾きの和を用いて修繕順序を決定することで、異常曲げの程度を考慮して修繕順位を決定することができる。これにより、順位付けの精度を向上させることができる。例えば、光ファイバ芯線の種類によっては、大きな異常曲げが発生していても小さな光損失しか測定されない場合がある。このような場合であっても、波長対損失特性の傾きの和を用いて修繕順序を決定することで、異常曲げの程度に応じて修繕順位を決定することができる。
【００９９】
図１０は、光ファイバネットワーク８００の各光ファイバ芯線の、各クロージャー部における波長対損失特性の傾きの一例を示す。図１０を用いて、クロージャー部ごとに各光ファイバ芯線の各異常箇所における波長対損失特性の傾きの和を算出し、波長対損失特性の傾きの和に基づいて、複数のクロージャー部のうち、いずれのクロージャー部における異常から修繕するかを決定する方法について説明する。
【０１００】
図１０は、光パワー測定部２０１が、多心光ファイバケーブル８１０の光ファイバ芯線８１２、多心光ファイバケーブル８３０の光ファイバ芯線８３６、多心光ファイバケーブル８５０の光ファイバ芯線８５４、および、多心光ファイバケーブル８７０の光ファイバ芯線８７８のそれぞれについて後方散乱光の光パワーを測定した場合における、特性算出部２０６により算出された波長対損失特性の傾き［ｄＢ／ｎｍ］を示す。
【０１０１】
図１０の各行は、各光ファイバ芯線の、各クロージャー部における波長対損失特性の傾きを示す。例えば、図１０の２行目の記載から、光ファイバ芯線８３６は、クロージャー部８９０およびクロージャー部８９８において異常曲げによる光損失が生じており、波長対損失特性の傾きは、それぞれ、０．０４４および０．１５０［ｄＢ／ｎｍ］であることがわかる。なお、図１０には、各光ファイバ芯線の種類を合わせて示す。また、図中のＣＴＦは、光ファイバの局内終局架（Ｃａｂｌｅ  Ｔｅｒｍｉｎａｔｉｎｇ  Ｆｒａｍｅ）を示す。
【０１０２】
図１０に示すとおり、クロージャー部ごとに、当該クロージャ部における光ファイバ芯線の波長対損失特性の傾きを加算すると、波長対損失特性の傾きの和が大きい順に、クロージャー部８９８、クロージャー部８９０、クロージャー部８９６、クロージャー部８９２、クロージャー部８９４となる。よって、修繕順序決定部９１０は、この順にクロージャー部を修繕すべきことを決定することができる。修繕順序決定部９１０は、波長対損失特性の傾きの和が一定値以下であるクロージャー部については、修繕しないことを決定してもよい。
【０１０３】
なお、本実施形態において、複数の波長と、複数の波長のそれぞれにおける距離における光パワーとに基づいて算出された波長対損失特性の傾き［ｄＢ／ｎｍ］を用いて、修繕順序を決定する方法について説明した。しかし、修繕順序を決定する方法はこれに限定されない。修繕順序を決定する他の例としては、複数の波長と、複数の波長のそれぞれの変化箇所における変化量とに基づいて算出された波長対損失特性の傾き［ｄＢ／ｎｍ・ｍ］を用いて、修繕順序を決定してもよい。
【０１０４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０５】
例えば、測定装置１００は、コンピュータにプログラムを読み込ませることで実現できる。また、測定装置１００および測定装置２００は、光パワー測定部１０１または光パワー測定部２０１を備えなくてもよい。この場合、外部に設けられた光パワー測定部が測定した光パワーを、測定装置１００および測定装置２００が備える光パワー取得部が取得する。また、測定装置１００は、後方散乱光の波長に応じて屈折率を変えて距離を算出する距離算出部２０２を備えてもよい。また、測定装置１００は、距離算出部２０２および距離補正部２０３を備えてもよい。このようにして、測定装置１００でも、測定装置２００と同様に精度よく距離を測定できる。測定装置２００および測定装置９００についても同様に、コンピュータにプログラムを読み込ませることで実現してもよい。
【０１０６】
上記コンピュータは、測定装置１００、測定装置２００または測定装置９００に特化したコンピュータであってもよく、パーソナルコンピュータ等の汎用の情報処理装置であってもよい。例えば、ＣＰＵ、ＲＯＭ、ＲＡＭ、通信インターフェース等を有するデータ処理装置と、入力装置と、出力装置と、記憶装置とを備えた一般的な構成の情報処理装置において、測定装置１００、測定装置２００または測定装置９００の各部の動作を規定したソフトウエアを起動することにより、測定装置１００、測定装置２００または測定装置９００を実現できる。なお、上記特化したシステムおよび上記情報処理装置は、単一のコンピュータにより構成されてもよく、ネットワーク上に分散した複数のコンピュータにより構成されてもよい。
【０１０７】
以上の記載によれば、本願明細書に以下の事項が記載されていることは明らかである。即ち、本願明細書には、複数の光ファイバ芯線の異常箇所における波長対損失特性の傾きに基づいて、複数の光ファイバ芯線の光接続部を収容する複数の収容部のうち、いずれの収容部における異常から修繕するかを決定する修繕順序決定装置または修繕順序決定方法が記載されている。また、上記装置を実現するプログラムが記載されている。
【０１０８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０９】
１００  測定装置、１０１  光パワー測定部、１０２  変化箇所検出部、１０３  変化量算出部、１０４  異常曲げ判断部、２００  測定装置、２０１  光パワー測定部、２０２  距離算出部、２０３  距離補正部、２０４  変化箇所検出部、２０５  変化量算出部、２０６  特性算出部、２０７  異常箇所特定部、８００  光ファイバネットワーク、８１０  多心光ファイバケーブル、８１２  光ファイバ芯線、８１４  光ファイバ芯線、８１６  光ファイバ芯線、８１８  光ファイバ芯線、８２２  光接続部、８２４  光接続部、８２６  光接続部、８２８  光接続部、８３０  多心光ファイバケーブル、８３２  光ファイバ芯線、８３４  光ファイバ芯線、８３６  光ファイバ芯線、８３８  光ファイバ芯線、８４２  光接続部、８４４  光接続部、８４６  光接続部、８４８  光接続部、８５０  多心光ファイバケーブル、８５２  光ファイバ芯線、８５４  光ファイバ芯線、８５６  光ファイバ芯線、８５８  光ファイバ芯線、８６２  光接続部、８６４  光接続部、８６６  光接続部、８６８  光接続部、８７０  多心光ファイバケーブル、８７２  光ファイバ芯線、８７４  光ファイバ芯線、８７６  光ファイバ芯線、８７８  光ファイバ芯線、８８２  光接続部、８８４  光接続部、８８６  光接続部、８８８  光接続部、８９０  クロージャー部、８９２  クロージャー部、８９４  クロージャー部、８９６  クロージャー部、８９８  クロージャー部、９００  測定装置、９１０  修繕順序決定部
【図１】
2011047914.tif 000003
【図２】
2011047914.tif 000004
【図３】
2011047914.tif 000005
【図４】
2011047914.tif 000006
【図５】
2011047914.tif 000007
【図６】
2011047914.tif 000008
【図７】
2011047914.tif 000009
【図８】
2011047914.tif 000010
【図９】
2011047914.tif 000011
【図１０】
2011047914.tif 000012